(57)【特許請求の範囲】
【請求項１】
互いに連結される複数のパネル部と、
隣接する前記パネル部の一方のパネル部及び他方のパネル部を接続する接続角度を、前記一方のパネル部及び前記他方のパネル部が自立するように調節可能に連結する軸部と、を有し、
前記パネル部は、通気部を有し、
前記通気部は、上下方向に離れて配置される第１通気口及び第２通気口を有し、前記第１通気口は、前記パネル部の外側の面に、前記第２通気口は、前記外側の面から前記パネル部の厚さ方向に離れて位置する前記パネル部の内側の面に形成され、
前記外側の面及び前記内側の面は、それぞれ一枚の板材で構成され、
前記外側の面を構成する板面の前記第１通気口における上縁側の先端は、前記パネル部の内部に向かって連続的に曲げられ、
前記内側の面を構成する板面の前記第２通気口における下縁側の先端は、前記内部に向かって連続的に曲げられ、
前記第１通気口及び前記第２通気口は、前記パネル部の内部において前記パネル部の厚さ方向と交差する方向に連なる、間仕切り体。
【請求項２】
前記パネル部の内側の面は、前記第１通気口から視認可能に前記第１通気口に対向して延びるように配置され、
前記パネル部の外側の面は、前記第２通気口から視認可能に前記第２通気口に対向して延びるように配置される、請求項１に記載の間仕切り体。
【請求項３】
前記パネル部は、前記一方のパネル部及び前記他方のパネル部を重ねた状態から１８０度まで開閉可能に接続され、
前記接続角度は、０度より大きく１８０度より小さい、請求項１又は２に記載の間仕切り体。
【請求項４】
前記接続角度を固定可能な固定部材をさらに備える、請求項１〜３のいずれか１項に記載の間仕切り体。
【請求項５】
前記固定部材は、一対の前記パネル部で構成される間仕切り体を複数連結する請求項４に記載の間仕切り体。
【発明の詳細な説明】
【技術分野】
【０００１】
本開示は、間仕切り体に関する。
【背景技術】
【０００２】
従来、広い空間を、それよりも小さい空間に仕切るための間仕切り体が知られている。間仕切り体には、板状の部材が設置面に対して垂直方向に起立するように支持脚が設けられ、高さを調節可能に構成したものが提案されている（例えば、特許文献１参照）。
【先行技術文献】
【特許文献】
【０００３】
【特許文献１】特開２００３−３０６９８４号公報
【発明の概要】
【発明が解決しようとする課題】
【０００４】
空間を仕切るための板状の部材に支持脚を設け、高さを調節可能に構成することで、間仕切り体が大型になっていた。大型の間仕切り体は移動がしづらく、一度設置してしまうと、その後の位置の変更が容易でなかった。
【課題を解決するための手段】
【０００５】
本開示は、互いに連結される複数のパネル部と、隣接する前記パネル部の一方のパネル部及び他方のパネル部を接続する接続角度を、前記一方のパネル部及び前記他方のパネル部が自立するように調節可能に連結する軸部と、を有する間仕切り体に関する。
【図面の簡単な説明】
【０００６】
【図１】第１実施形態の間仕切り体を示す斜視図である。
【図２Ａ】第１実施形態の間仕切り体の縦断面図である。
【図２Ｂ】第１実施形態の間仕切り体の横断面図である。
【図３】第１実施形態の間仕切り体の軸部の周囲の部分拡大斜視図である。
【図４Ａ】第１実施形態の固定部材の上部から視た斜視図である。
【図４Ｂ】第１実施形態の固定部材の下部から視た斜視図である。
【図５】第１実施形態の固定補助脚の斜視図である。
【図６Ａ】第１実施形態の変形例に係る固定部材の上部から視た斜視図である。
【図６Ｂ】第１実施形態の変形例に係る固定部材の下部から視た斜視図である。
【図７】第１実施形態の変形例に係る間仕切り体の斜視図である。
【図８】第２実施形態の間仕切り体の斜視図である。
【図９】第２実施形態の間仕切り体の縦断面図である。
【図１０】第３実施形態の間仕切り体の斜視図である。
【図１１Ａ】第４実施形態の間仕切り体を開いた状態の正面図である。
【図１１Ｂ】第４実施形態の間仕切り体を折った状態の正面図である。
【発明を実施するための形態】
【０００７】
以下、本開示の第１実施形態について図面を参照しながら詳細に説明する。間仕切り体１は、例えば複数の人間が同時に使用可能な大型の机や、カウンター等の上に配置される衝立である。間仕切り体１は、図１に示すように、複数のパネル部２と、軸部３と、固定部材４と、固定補助脚５と、を有する。間仕切り体１は、軸部３を介して隣接する２枚のパネル部２が接続され、隣接する２枚のパネル部２の間に形成される角度が調節可能である。
【０００８】
パネル部２は、アルミ製の上桟２１、下桟２２、軸部側縦框２３及び自由端側縦框２４を組んで構成される枠部２０と、枠部２０の内側に嵌め込まれるパネル２５と、弾性部材２６と、を有する。パネル部２は、後述する軸部３によって２枚が連結されている。本明細書において、隣接するパネル部２が向き合い、重ねることが可能な面を内側、内側面の反対側を外側と呼ぶ。パネル部２の軸部３に沿う方向を上下方向と呼び、上下方向に交差して軸部３から自由端へ向かう方向をパネル部２の幅方向と呼ぶ。
【０００９】
上桟２１は、図２Ａに示すように、パネル部２の上部でパネル部２の幅方向に延びる桟である。上桟２１は、断面視略コの字状を有し、上面部２１１と、内側面２１２と、外側面２１３と、保持部２１４と、を有する。上面部２１１は、パネル部２の厚さ方向に延びる平坦な面であり、パネル部２の天面である。内側面２１２及び外側面２１３は、パネル部２の内側及び外側で、上下方向に沿って延びる面である。内側面２１２及び外側面２１３の上端は、上面部２１１を超えて上方に突出しており、上面部２１１は、内側面２１２及び外側面２１３の上端よりもくぼんだ位置にある。保持部２１４は、内側面２１２及び外側面２１３の下端からパネル部２の厚さ方向の内側に向かって屈曲し、パネル２５及び弾性部材２６を保持可能な開口２１４ａを有する。
【００１０】
下桟２２は、図２Ａに示すように、上桟２１に対向し、パネル部２の下部でパネル部２の幅方向に延びる桟である。下桟２２は、断面視略コの字状を有し、下面部２２１と、内側面２２２と、外側面２２３と、保持部２２４と、を有する。下面部２２１は、パネル部２の厚さ方向に延びる平坦な面である。内側面２２２及び外側面２２３は、パネル部２の内側及び外側で、上下方向に沿って延びる面である。内側面２２２及び外側面２２３の下端は、下面部２２１を超えて下方に突出しており、下面部２２１は、内側面２２２及び外側面２２３の下端よりも上方に位置している。内側面２２２及び外側面２２３の下端は、間仕切り体１を設置する際に、設置面に接する最下端部となる。保持部２２４は、内側面２２２及び外側面２２３の上端からパネル部２の厚さ方向の内側に向かって屈曲し、パネル２５及び弾性部材２６を保持可能な開口２２４ａを有する。
【００１１】
軸部側縦框２３は、図２Ｂに示すように、２枚のパネル部２を連結する軸部３に近接した側の縦框である。軸部側縦框２３は、パネル部２の上下方向に延びる長さと、軸部３側から枠部２０の内周側へ延びる幅と、パネル部２の厚さ方向を規定する所定の厚さとを有する。軸部側縦框２３は、軸係合部２３１と、中空部２３２と、保持部２３３と、端部キャップ２３４（図３参照）と、を有する。
【００１２】
軸係合部２３１は、外側湾曲部２３１１と、係合片２３１３とを有する。外側湾曲部２３１１は、軸係合部２３１の外側に形成され、パネル部２側から軸部３側へ連続するなだらかな曲面である。係合片２３１３は、外側湾曲部２３１１に対して対向する側に位置し、パネル部２の内側の面から軸部３側へ延びる平坦な面２３１３ａと、平坦な面２３１３ａの軸部３側の端部が鉤状に屈曲して形成される鉤部２３１３ｂとを有する。係合片２３１３は、軸部３の内部へ挿入され、鉤部２３１３ｂが軸部３の内部と係合することで、パネル部２と軸部３が連結される。
【００１３】
中空部２３２は、軸係合部２３１から枠部２０の内周側に隣接して形成される、内部が中空に形成される部分である。中空部２３２は、軸部側縦框２３の上端側から下端側まで中空に形成されている。中空部２３２には、後述する固定部材４が挿入される。
【００１４】
保持部２３３は、中空部２３２から枠部２０の内周側に隣接して形成される断面視略コの字状の部分である。保持部２３３は、枠部２０の内周側に向かって開口した開口２３３ａを有する。開口２３３ａに、パネル２５及び弾性部材２６が保持される。
【００１５】
端部キャップ２３４は、図３に示すように、軸部側縦框２３における軸係合部２３１の外側湾曲部２３１１、及び中空部２３２の上端を覆うように取り付けられる樹脂製のカバーである。端部キャップ２３４は、外側湾曲部２３１１及び中空部２３２の形状に沿う形状を有する。さらに、端部キャップ２３４は、外側湾曲部２３１１の軸部側の端部から、中空部２３２の軸部側の側面に向かって湾曲する内側湾曲部２３４２を有する。内側湾曲部２３４２は、後述する軸部３の湾曲した外面がスライド移動可能となるように、軸部３の外面の曲面に合った形状を有する。
【００１６】
自由端側縦框２４は、軸部側縦框２３に対向し、パネル部２の自由端側で上下方向に延びる縦框である。自由端側縦框２４は、湾曲部２４１と、筒状凹部２４２と、保持部２４３とを有する。湾曲部２４１は、自由端側縦框２４の端部で断面視略Ｕ字状に形成される部分であり、内部が中空になっている。湾曲部２４１は、自由端側縦框２４の上端から下端まで形成されている。筒状凹部２４２は、湾曲部２４１の下面から上方に向かって、所定高さ筒状に形成された窪みである。筒状凹部２４２の内部に、後述する固定補助脚５が挿入される。保持部２４３は、湾曲部２４１から枠部２０の内周側に隣接して形成される断面視略コの字状の部分である。保持部２４３は、枠部２０の内周側に向かって開口した開口２４３ａを有する。開口２４３ａに、パネル２５及び弾性部材２６が保持される。
【００１７】
パネル２５は、枠部２０の内部に保持される板材である。パネル２５は、透明な樹脂製で四角形の形状を有する。弾性部材２６は、パネル２５の四周に取り付けられるゴム製パッキンである。弾性部材２６は、上桟２１の保持部２１４に形成される開口２１４ａ、下桟２２の保持部２２４に形成される開口２２４ａ、軸部側縦框２３の保持部２３３に形成される開口２３３ａ、自由端側縦框２４の保持部２４３に形成される開口２４３ａ、に差し込まれて保持される。弾性部材２６は、上記の開口２１４ａ、２２４ａ、２３３ａ、２４３ａの内壁に対してパネル２５を押圧し、開口２１４ａ、２２４ａ、２３３ａ、２４３ａの隙間を埋めてパネル２５を固定する。
【００１８】
軸部３は、隣接するパネル部２の一方のパネル部２及び他方のパネル部２を連結する部材であり、パネル部２の上下方向の長さと同じ長さを有する。軸部３により、間仕切り体１の一方のパネル部２及び他方のパネル部２が、自立可能に接続される。軸部３は、軸部湾曲部３１と、パネル係止部３２と、端部キャップ３３と、を有する。
【００１９】
軸部湾曲部３１は、軸部３の外側に位置する湾曲した面であり、潰れた半円形状を有する。軸部湾曲部３１の幅方向一方側と他方側の曲面は、連結するパネル部２の軸部側縦框２３に設けられた端部キャップ２３４における内側湾曲部２３４２とスライド移動可能に合わさるように配置される。
【００２０】
パネル係止部３２は、図２Ｂに示すように、内側保持部３２１と、係合部品３２２と、を有する。内側保持部３２１は、軸部湾曲部３１における幅方向の両側の端部から、幅方向の中央側へ向かって延びる面である。軸部湾曲部３１と内側保持部３２１で囲まれた空間の内部に、パネル部２の軸係合部２３１における係合片２３１３と係合する樹脂製の係合部品３２２が組付けられる。係合部品３２２は、係合片２３１３の鉤部２３１３ｂを回動可能に受けるとともに、鉤部２３１３ｂを軸部３内に移動可能に固定する。
【００２１】
端部キャップ３３は、図３に示すように、アルミ型材で構成される軸部湾曲部３１及びパネル係止部３２の上端に取り付けられる樹脂製のカバーである。端部キャップ３３は、略Ｄ字状に形成され、軸部湾曲部３１の幅方向の中央に、外側へ向かって突出する凸部３３１を有する。凸部３３１は、隣接するパネル部２が軸部３に連結され最大に開かれた状態で、内側湾曲部２３４２の端部に当接し、パネル部２がそれ以上回転すること防止する。
【００２２】
２枚のパネル部２は、互いの内側面を重ねて閉じた状態から、略直線状に並ぶように１８０度開いた状態まで開閉可能に接続される。軸部３は、２枚のパネル部を接続する接続角度を、一方のパネル部２及び他方のパネル部２が自立するように調節可能に連結する。接続角度が０度より大きく１８０度よりも小さいことで、間仕切り体１は自立可能となる。間仕切り体１として、好適切に空間を仕切るためには、例えば、６０度から１２０度の角度で開くことで、パネル部２で仕切られる一方側と他方側の空間の両方を使用することができる。
【００２３】
固定部材４は、軸部３の少なくとも上端側に位置するように、パネル部２の軸部側縦框２３に取り付けられる。固定部材４は、２枚のパネル部２を接続する接続角度を固定する部品である。固定部材４は、上面部４１と、挿入部４２と、係止溝４３と、内側係止部４４と、を有する。
【００２４】
上面部４１は、パネル部２の設置面と略平行な方向に延びる平坦な面である。上面部４１は、固定部材４を軸部３の上端側に配置した場合は、軸部３の上面を構成する。上面部４１は、図４Ａに示すように、略Ｌ字状に屈曲し、屈曲して外側に形成される角が面取りされた形をしている。詳細には、上面部４１は、内側縁４１１と、外側縁４１２と、接続縁４１３とを有する。内側縁４１１は、略９０度の角度で屈曲する。外側縁４１２は、三つの辺が２か所で屈曲して接続されることで構成されている。外側縁４１２の一方及び他方の端部側の辺４１２ａ、４１２ｂは、内側縁４１１に対向して延び、外側縁４１２の中央側の辺４１２ｃは、二つの辺４１２ａ、４１２ｂを接続する直線で構成される。接続縁４１３は、内側縁４１１と外側縁４１２とを接続する直線である。接続縁４１３は、上面部４１が軸部３の上部に配置された状態では、パネル部２の厚さ方向に延びる。
【００２５】
挿入部４２は、上面部４１の延びる方向に対して略直交する方向に突出する。挿入部４２は、上面部４１が軸部３の上部に配置された状態で下方へ延び、パネル部２の軸部側縦框２３における中空部２３２に挿入される。図４Ｂに示すように、挿入部４２は、上面部４１に近い側では略直方体の形状を有し、上面部４１から遠い側では、周囲の面が下方に向かって小さくなるように傾斜する傾斜面４２ａが形成される。傾斜面４２ａにより、中空部２３２への挿入が容易になる。
【００２６】
内側係止部４４は、上面部４１の延びる方向に対して略直交する方向に、挿入部４２と間を空けて延びる。内側係止部４４は、上面部４１が軸部３の上部に配置された状態で、下方へ延びる。内側係止部４４は、図４Ｂに示すように、挿入部４２の長辺に対して直交する方向に位置し、上面部４１の内側縁４１１から突出する。内側係止部４４は、軸部３に取り付けられた状態では、パネル部２の軸部側縦框２３における中空部２３２の内側の面よりも内側に配置される。
【００２７】
係止溝４３は、挿入部４２と内側係止部４４との間に形成される隙間である。係止溝４３は、挿入部４２の内側の端面と、内側係止部４４の外側の端面との間に形成される。係止溝４３には、上面部４１が軸部３の上部に配置された状態では、中空部２３２の内側の面の上部側が係止される。すなわち、挿入部４２と内側係止部４４とで、中空部２３２の内側の面を挟むように係止される。
【００２８】
挿入部４２、内側係止部４４及び係止溝４３は、上面部４１における略９０度に屈曲する内側縁４１１の一方と他方に対称に配置される。挿入部４２が隣接する２枚のパネル部２の軸部側縦框２３における中空部２３２に挿入されることで、２枚のパネル部２の接続角度が９０度に固定される。
【００２９】
固定補助脚５は、パネル部２の自由端側縦框２４に挿入可能な部品である。固定補助脚５は、図５に示すように、支持面５１及び補助脚挿入部を有する。
【００３０】
支持面５１は、略長方形の薄い板状の形状を有する。支持面５１の幅は、パネル部２の厚さ方向の寸法よりも小さいことが好ましい。支持面５１の長さは、特に限定されないが、パネル部２の幅の１／４よりも短いことが好ましい。
【００３１】
補助脚挿入部５２は支持面５１の上面から上方に突出する円柱状の部分である。補助脚挿入部５２は、自由端側縦框２４の筒状凹部２４２に挿入される。補助脚挿入部５２と筒状凹部２４２の内面とは単に合わさっているだけなので、補助脚挿入部５２は自由に回転することができる。補助脚挿入部５２を回転させて支持面５１をパネル部２に交差する方向へ向けてもよい。支持面５１がパネル部２の下面と交差する方向に延びることで、パネル部２がより大きな力で押されても倒れないように支持される。
【００３２】
固定補助脚５は、間仕切り体１をより強固に設置面に固定したいときに、固定部品を固定するためのクランプ面として利用してもよい。補助脚挿入部５２を回転させて支持面５１を下桟２２の下から外側へ出し、設置面へ固定する別途の固定部品を支持面５１にねじ留めする。これにより、固定補助脚５を介して設置面とパネル部２をクランプ固定することができる。
【００３３】
図６Ａ及び図６Ｂは、第１実施形態の変形例に係る固定部材４Ａの斜視図である。変形例に係る固定部材４Ａは、第１実施形態の固定部材４が二つ接続されたような略Ｘ型の形状を有する。より詳細には、固定部材４における上面部４１の外側縁４１２の中央側の辺４１２ｃが接続され、内側縁４１１Ａが背中合わせで配置される。上面部４１Ａから突出する挿入部４２、係止溝４３、内側係止部４４は、それぞれ固定部材４の構成と同様であるため、説明を省略する。
【００３４】
図７に示すように、変形例によれば、４枚のパネル部２を連結することができる。すなわち、一対のパネル部２で構成される間仕切り体１を、固定部材４Ａにより二つ接続することが可能になる。変形例に係る間仕切り体１によれば、空間を４つに仕切ることができる。
【００３５】
第１実施形態によれば、以下の効果が奏される。間仕切り体１を、互いに連結される複数のパネル部２と、隣接するパネル部２の一方のパネル部２及び他方のパネル部２を接続する接続角度を、一方のパネル部２及び他方のパネル部２が自立するように調節可能に連結する軸部３と、を含んで構成した。隣接するパネル部２が、軸部３により自立可能な角度で接続される。間仕切り体の１設置にパネル部２を支える構造物を必須で必要としないので、設置が容易になるとともに移動も容易になる。パネル部２を開く角度を調節するだけで、仕切る空間を自由に設定することができる。
【００３６】
第１実施形態によれば、パネル部２を、一方のパネル部２及び他方のパネル部２を重ねた状態から１８０度まで開閉可能に接続した。接続角度を、０度より大きく１８０度より小さくした。パネル部２が０度より大きく１８０度より小さい角度に開閉可能に接続されていることで、間仕切り体１の用途や設置場所に応じて柔軟に開閉角度を変更することができる。さら０度近くまでパネル部２同士を重ねることで、面積が小さくなるので、持ち運びが容易になる。
【００３７】
第１実施形態によれば、接続角度を固定可能な固定部材４をさらに含んで構成した。パネル部２の接続角度を固定部材４で固定することで、使用中に物や人がぶつかってもパネル部２の接続角度が変わることがない。よって、安定して使用することが可能となる。
【００３８】
図８及び図９は、第２実施形態に係る間仕切り体１Ａを示す。第２実施形態に係る間仕切り体１Ａでは、パネル部２Ａが通気部２７を有する点で、第１実施形態と異なる。通気部２７は、パネル部２Ａの下桟２２に形成される。下桟２２は、第１通気口２７１と、第２通気口２７２と、を有する。
【００３９】
第１通気口２７１は、下桟２２の外側面２２３の高さ方向の中央付近に設けられる。図９に示すように、第１通気口２７１は、パネル部２Ａの外側の面に形成される。すなわち、第１通気口２７１は、下桟２２の外側面２２３を構成する板面が、下面部２２１から上方に延びる途中で内側面２２２側へ折れることで開口する。第１通気口２７１の上からは、外側面２２３を構成する板面が、下桟２２の上端まで延びる。第１通気口２７１は、外側面２２３にのみ形成され、内側面２２２側は塞がっている。
【００４０】
第２通気口２７２は、パネル部２Ａの内側の面に形成される。第２通気口２７２は、下桟２２の内側面２２２の高さ方向の上部に設けられる。第２通気口２７２は、下桟２２の内側面２２２を構成する板面が、第１通気口２７１よりも上方の位置で外側面２２３に向かって曲がり、下桟２２の上端との間に開口が形成されている。第２通気口２７２は、第１通気口２７１と上下方向に離れて配置され、段違い位置に形成される。第２通気口２７２は、内側面２２２にのみ形成され、外側面２２３側は塞がっている。
【００４１】
第２実施形態では、図９に示すように、外側面２２３を構成する板面は、上方で内側面２２２側へ屈曲し、外側面２２３を構成する板面が屈曲することで、パネル２５及び弾性部材２６を保持する保持部２２４Ａが形成されている。
【００４２】
通気部２７が形成されていることで、間仕切り体１Ａを介して仕切られた空間にいる人が会話をしても、声が通りやすい。第１通気口２７１及び第２通気口２７２が段違いに配置されていることで、例えば間仕切り体１Ａを設置して、仕切られた空間で人が会話等をした場合に、口腔内から飛んだ飛沫が第１通気口２７１及び第２通気口２７２のいずれから入り込んだとしても、対向する外側面２２３又は内側面２２２で堰き止められる。このため、飛沫が仕切られた空間の外まで届くことはない。外側面２２３と内側面２２２とは、パネル部２Ａの厚さ方向に離れて位置している。したがって、第１通気口２７１及び第２通気口２７２は、下桟２２の内部で上下方向に空気が連通して通る。このため、声等の音が仕切られた空間の外まで届きやすい。
【００４３】
図１０は、第３実施形態に係る間仕切り体１Ｂを示す。第３実施形態に係る間仕切り体１Ｂは、３枚のパネルが接続されてコの字型に形成されている点で上記実施形態と異なる。３枚のパネル部２Ｂのうち、中央に配置されるパネル部２Ｂの面積が大きく、両側に配置されるパネル部２Ｂの面積が、中央に配置されるパネル部２Ｂよりも小さい。軸部３が隣接するパネル部２Ｂを接続する構成は、第１実施形態と同様である。第３実施形態によれば、パネル部２Ｂがコの字を形成するように３枚接続されているので、間仕切り体１Ｂが安定して自立する。
【００４４】
図１１Ａ及び図１１Ｂは、第４実施形態に係る間仕切り体１Ｃを示す。第４実施形態に係る間仕切り体１Ｃは、パネル部２Ｃが４枚接続されている点で上記実施形態と異なる。図１１Ｂに示すように、４枚のパネル部２Ｃは、略Ｍ字型に折り畳むことができるように接続されている。第４実施形態によれば、仕切りたい空間が大きいとき、間仕切り体１Ｃの幅方向の両端側に位置するパネル部２Ｃを、空間の奥行方向に沿うように配置し、間仕切り体１Ｃの中央側に位置するパネル部２Ｃを空間の左右方向に複数並べることで、仕切られる空間を広げることができる。
【００４５】
本開示は上記実施形態に限定されるものではなく、変形、改良等は本開示に含まれる。接続されるパネル部２の数や向きは、限定されない。第４実施形態の変形例として、パネル部２を接続する枚数は任意に増やすことができ、パネル部２Ｃを屏風のように折り畳み可能とすることができる。
【００４６】
上記実施形態では、パネル２５は透明な樹脂板である。パネル２５の素材及び色は限定されない。パネルは、ガラスであってもよいし、アルミ板、アルミ樹脂複合板（アルポリック（登録商標））であってもよい。パネルは、半透明又は不透明であってもよい。
【００４７】
上記実施形態では、弾性部材２６はゴム製パッキンである。弾性部材２６は、グレーチングチャンネルやビードであってもよい。
【００４８】
固定部材は、なくてもよい。パネル部２には通気部や開口を配置してもよい。パネル部２に設けた開口を開閉可能な窓のように構成してもよい。上記実施形態では、固定部材４は、隣接するパネル部２同士を９０度の角度で接続するように固定しており、内側縁４１１は略９０度の角度で屈曲している。しかし、固定部材４がパネル部２を固定する角度及び内側縁４１１の屈曲する角度は、任意の角度に設定できる。例えば、４５度、６０度、１２０度、１３５度等を例示できる。
【００４９】
上記実施形態では、固定部材４は、内側係止部４４を有している。固定部材は、内側係止部４４を有さなくてもよい。挿入部４２が隣接するパネル部２のそれぞれに挿入されることで、パネル部２の接続角度を固定することは可能である。あるいは、他の構成として、挿入部４２の内側に内側係止部４４を形成せずに、挿入部４２の外側に上面部４１から下方に突出する係止部を設けてもよい。挿入部４２を軸部側縦框２３の中空部２３２に挿入し、中空部２３２の外側の面の外側に係止部を配置するように構成してもよい。
【００５０】
上記実施形態では、固定部材４の上面部４１は平坦な面に形成されている。上面部４１は、平坦な面でなく、曲面でもよく、凹凸が形成されていてもよい。
【００５１】
固定補助脚５の形状は、上記実施形態に限定されない。支持面５１は、略長方形でなくてもよい。支持面５１の幅は、パネル部２の厚さ方向の寸法よりも大きくてもよく、長さはパネル部２に沿ってどの程度長くてもよい。補助脚挿入部５２の形状は、円錐形状であってもよく、他の形状であってもよい。
【００５２】
第２実施形態では、第１通気口２７１は、下桟２２の外側面２２３の高さ方向の中央付近に設けられている。第１通気口２７１は、外側面２２３の高さ方向の中央から下側に配置されていてもよい。
【００５３】
上記実施形態のいずれにおいても、パネル部２の大きさは限定されない。大きさの異なるパネル部２が軸部３により接続されていてもよい。第３実施形態では、中央に配置されるパネル部２Ｂの面積が、その両側に配置されるパネル部２Ｂの面積よりも小さく形成されている。第３実施形態の構成において、両側に配置されるパネル部２Ｂの面積は、中央に配置されるパネル部２Ｂの面積と同じでもよいし、中央に配置されるパネル部２Ｂよりも大きくてもよい。
【符号の説明】
【００５４】
１  間仕切り体、  ２  パネル部、  ３  軸部、  ４  固定部材  ２７  通気部、  ２７１  第１通気口、  ２７２  第２通気口
【要約】
【課題】移動及び設置の容易な間仕切り体を提供すること。
【解決手段】間仕切り体１は、互いに連結される複数のパネル部２と、隣接するパネル部２の一方のパネル部２及び他方のパネル部２を接続する接続角度を、一方のパネル部２及び他方のパネル部２が自立するように調節可能に連結する軸部３と、を有する。パネル部２は、通気部２７を有することが好ましい。通気部２７は、上下方向に離れて配置される第１通気口２７１及び第２通気口２７２を有し、第１通気口２７１は、パネル部２の外側の面に、第２通気口２７２は、外側の面からパネル部の厚さ方向に離れて位置するパネル部の内側の面に形成されることが好ましい。
【選択図】図１【図１】
0006977115.tif 000002
【図２Ａ】
0006977115.tif 000003
【図２Ｂ】
0006977115.tif 000004
【図３】
0006977115.tif 000005
【図４Ａ】
0006977115.tif 000006
【図４Ｂ】
0006977115.tif 000007
【図５】
0006977115.tif 000008
【図６Ａ】
0006977115.tif 000009
【図６Ｂ】
0006977115.tif 000010
【図７】
0006977115.tif 000011
【図８】
0006977115.tif 000012
【図９】
0006977115.tif 000013
【図１０】
0006977115.tif 000014
【図１１Ａ】
0006977115.tif 000015
【図１１Ｂ】
0006977115.tif 000016